(57)【要約】【課題】  光効率を向上させることができる光照射装置を提供する。【解決手段】  光照射装置は、円弧状に形成される凹状の内面に配置され且つ線材が内部に挿入される第１反射面と、線材の周方向から線材に向けて発光する少なくとも一つの発光部と、平面状に形成される第２反射面と、を備え、第２反射面の少なくとも一部は、第１反射面の周方向において、第１反射面の端部と発光部の端部との間に配置される。【選択図】  図５
2018035050.tif 000002
【特許請求の範囲】
【請求項１】
円弧状に形成される凹状の内面に配置され、線材が内部に挿入される第１反射面と、
前記線材の周方向から前記線材に向けて発光する少なくとも一つの発光部と、
平面状に形成される第２反射面と、を備え、
前記第２反射面の少なくとも一部は、前記第１反射面の周方向において、前記第１反射面の端部と前記発光部の端部との間に配置される、光照射装置。
【請求項２】
前記第２反射面は、前記第１反射面の径方向との交差角度が０°より大きく且つ９０°より小さくなるように、配置される、請求項１に記載の光照射装置。
【請求項３】
前記線材を前記第１反射面の内部に挿入するための挿入路を、内部に形成する挿入部を、備え、
前記第１反射面は、中心が前記挿入路の中心に対して偏心するように、配置される、請求項１又は２に記載の光照射装置。
【発明の詳細な説明】
【技術分野】
【０００１】
本発明は、線材に向けて光を照射する光照射装置に関する。
【背景技術】
【０００２】
従来、光照射装置として、曲面状の反射面と、発光する発光部とを備える光照射装置が、知られている（例えば、特許文献１）。そして、線材は、反射面の内部に挿入され、発光部は、線材の周方向から線材に向けて発光している。
【０００３】
ところで、特許文献１に係る光照射装置の光効率は、低くなっている。例えば、反射面の端部と発光部の端部との間に進行した光は、線材を照射しないため、光効率を低下させる主な要因の一つとなっている。なお、光効率（光の利用効率）とは、発光部から発光した光のうち、線材を実際に照射した光の割合をいう。
【先行技術文献】
【特許文献】
【０００４】
【特許文献１】米国特許第７，３９９，９８２号明細書
【発明の概要】
【発明が解決しようとする課題】
【０００５】
そこで、課題は、光効率を向上させることができる光照射装置を提供することである。
【課題を解決するための手段】
【０００６】
光照射装置は、円弧状に形成される凹状の内面に配置され、線材が内部に挿入される第１反射面と、前記線材の周方向から前記線材に向けて発光する少なくとも一つの発光部と、平面状に形成される第２反射面と、を備え、前記第２反射面の少なくとも一部は、前記第１反射面の周方向において、前記第１反射面の端部と前記発光部の端部との間に配置される。
【０００７】
また、光照射装置においては、前記第２反射面は、前記第１反射面の径方向との交差角度が０°より大きく且つ９０°より小さくなるように、配置される、という構成でもよい。
【０００８】
また、光照射装置においては、前記線材を前記第１反射面の内部に挿入するための挿入路を、内部に形成する挿入部を、備え、前記第１反射面は、中心が前記挿入路の中心に対して偏心するように、配置される、という構成でもよい。
【発明の効果】
【０００９】
以上の如く、光照射装置は、光効率を向上させることができる、という優れた効果を奏する。
【図面の簡単な説明】
【００１０】
【図１】一実施形態に係る光照射装置の全体図であって、線材が挿入されている状態を示す図である。
【図２】同実施形態に係る光照射装置の全体正面図である。
【図３】同実施形態に係る光照射装置の全体側面図である。
【図４】図２のIV−IV線拡大断面図である。
【図５】図４のＶ領域拡大図である。
【図６】実施例に係る光照射装置の要部断面図であって、線材への光の照射状態を説明する図である。
【図７】図５の実施例に係る光照射装置の要部断面図であって、線材への光の照射状態を説明する図である。
【図８】他の実施例に係る光照射装置の要部断面図であって、線材への光の照射状態を説明する図である。
【図９】図５の実施例に係る光照射装置の要部断面図であって、線材への光の照射状態を説明する図である。
【図１０】他の実施形態に係る光照射装置の要部断面図である。
【図１１】さらに他の実施形態に係る光照射装置の要部断面図である。
【図１２】さらに他の実施形態に係る光照射装置の要部断面図である。
【図１３】さらに他の実施形態に係る光照射装置の要部断面図である。
【図１４】さらに他の実施形態に係る光照射装置の要部断面図である。
【図１５】さらに他の実施形態に係る光照射装置の要部断面図である。
【図１６】さらに他の実施形態に係る光照射装置の要部断面図である。
【図１７】さらに他の実施形態に係る光照射装置の要部断面図である。
【発明を実施するための形態】
【００１１】
以下、光照射装置における一実施形態について、図１〜図９を参酌して説明する。なお、各図（図１０〜図１７も同様）において、図面の寸法比と実際の寸法比とは、必ずしも一致しておらず、また、各図面の間での寸法比も、必ずしも一致していない。
【００１２】
図１に示すように、本実施形態に係る光照射装置１は、線材２００である光ファイバ２００を製造する光ファイバ製造装置１００に用いられている。そこで、光照射装置１の各構成を説明するのに先立って、光ファイバ製造装置１００について説明する。
【００１３】
光ファイバ製造装置１００は、光ファイバ２００を搬送方向（図１における下方向）Ｄ１に沿って搬送する搬送装置１１０と、搬送される光ファイバ２００に紫外線硬化性の樹脂を塗布する塗布装置１２０とを備えている。そして、搬送装置１１０は、光ファイバ２００が光照射装置１の内部の所定位置に挿入されるように、光ファイバ２００を保持しつつ搬送する搬送部材１１１，１１２を、光照射装置１の上流側と下流側とにそれぞれ備えている。
【００１４】
そして、光照射装置１は、例えば、毎分１０００メートルの速さで内部を走行する光ファイバ２００に紫外線を照射することにより、光ファイバ２００に塗布された樹脂を硬化させる。これにより、光ファイバ製造装置１００で製造される光ファイバ２００は、例えば、ガラスファイバからなる裸光ファイバと、紫外線硬化性樹脂が硬化された被覆膜とで構成されている。
【００１５】
図２〜図４に示すように、本実施形態に係る光照射装置１は、光ファイバ（線材）２００に向けて光を照射する光源ユニット２と、光ファイバ２００が挿入される挿入ユニット３とを備えている。また、光照射装置１は、光源ユニット２と挿入ユニット３とを回転軸４ａで回転可能に接続する接続部４を備えている。
【００１６】
光源ユニット２は、光ファイバ２００に向けて光を照射する光源２１と、光源２１を冷却する光源冷却部２２と、光源２１等を収容する筐体２３とを備えている。また、光源ユニット２は、光源２１に電力を供給するための電力供給部２４を備えている。
【００１７】
光源２１は、光ファイバ２００の延びる方向（搬送方向）Ｄ１に沿って、長尺に形成されている。そして、光源２１は、光ファイバ２００に対面するように配置している。本実施形態においては、光源２１は、紫外線硬化性の樹脂を硬化させるために、紫外光（例えば、波長が３００ｎｍ〜４００ｎｍの光）を出射している。
【００１８】
光源冷却部２２は、光源２１に連結され且つ冷却水が内部を流通する冷却本体２２ａと、冷却本体２２ａに冷却水を流入するための流入部２２ｂと、冷却本体２２ａから冷却水を流出するための流出部２２ｃとを備えている。なお、冷却本体２２ａは、筐体２３の内部に配置され、流入部２２ｂ及び流出部２２ｃは、筐体２３の外部に配置されている。
【００１９】
筐体２３は、光源２１から放射された光を透過する透光部２３ａと、光を遮光する遮光部２３ｂとを備えている。透光部２３ａは、光ファイバ２００の延びる方向（搬送方向）Ｄ１に沿って、長尺に形成されている。そして、透光部２３ａは、光源２１と対面するように配置されている。これにより、透光部２３ａは、光源２１と光ファイバ２００との間に配置されている。
【００２０】
電力供給部２４は、外部からの電力を供給するために、例えば、ケーブル等が接続される電源接続部２４ａと、電源接続部２４ａと光源２１との間を電気的に接続するために、各種の端子を有する端子台２４ｂとを備えている。なお、電源接続部２４ａは、筐体２３の外部に配置され、端子台２４ｂは、筐体２３の内部に配置されている。
【００２１】
挿入ユニット３は、光ファイバ２００が内部に挿入される本体部５と、光ファイバ２００を本体部５の内部に挿入するための挿入路６１を、内部に形成する挿入部６と、挿入部６を本体部５に固定する固定部７とを備えている。また、挿入ユニット３は、本体部５を冷却する本体冷却部８を備えている。
【００２２】
固定部７は、挿入部６を挟持する一対の挟持部７１，７２を備えている。そして、固定部７は、一対の挟持部７１，７２が挿入部６の長手方向の端部を挟持することで、挿入部６の長手方向の端部と本体部５の長手方向の端部とを固定している。
【００２３】
本体冷却部８は、本体部５に連結され且つ冷却水が内部を流通する冷却本体８ａと、冷却本体８ａに冷却水を流入するための流入部８ｂと、冷却本体８ａから冷却水を流出するための流出部８ｃとを備えている。そして、本体冷却部８（冷却本体８ａ）は、本体部５に対して着脱可能に構成されている。
【００２４】
図４及び図５に示すように、本体部５は、光ファイバ２００の延びる方向（搬送方向）Ｄ１に沿って、長尺に形成されている。また、本体部５は、長手方向に沿って、光ファイバ２００が内部に挿入される凹状部５１を備えている。そして、凹状部５１は、円弧状に形成される内面に、光を反射する第１反射面５２を備えている。また、凹状部５１は、第１反射面５２の周方向の一方側に、開口部５３を一つ備えている。
【００２５】
第１反射面５２は、光ファイバ２００の延びる方向（搬送方向）Ｄ１に沿って、長尺に形成されている。そして、第１反射面５２は、曲面で形成されている。具体的には、第１反射面５２は、長手方向に対する直交面による断面において、真円形の一部からなる円弧状に形成されている。そして、第１反射面５２は、挿入部６が内部に挿入できる大きさに、形成されている。
【００２６】
開口部５３は、光ファイバ２００の延びる方向（搬送方向）Ｄ１に沿って、長尺に形成されている。そして、開口部５３は、透光部２３ａに覆われており、光源２１と対面するように配置されている。これにより、光源２１の光は、透光部２３ａ及び開口部５３を経由して、第１反射面５２の内部の光ファイバ２００に照射されている。したがって、光源２１は、光ファイバ２００の周方向の一方側から光ファイバ２００に向けて光を照射している。
【００２７】
挿入部６は、内部に挿入路６１を形成する挿入孔６２を備えており、挿入孔６２は、第１反射面５２の内部及び外部に配置されている。具体的には、挿入部６が、透光性を有する筒状体で形成され、光ファイバ２００の延びる方向（搬送方向）Ｄ１に沿って長尺に形成されることで、挿入孔６２は、第１反射面５２の内部及び外部に亘って配置されている。そして、挿入孔６２は、長手方向に対する直交面による断面において、円形状に形成されている。即ち、挿入孔６２は、内部に、円形状の挿入路６１を形成している。
【００２８】
本実施形態においては、挿入部６は、石英管としており、挿入部６の内部に、窒素が充填されている。これにより、紫外線硬化性の樹脂が硬化する際の重合反応が酸素によって阻害されることが抑制でき、樹脂の硬化反応を促進する効果がある。また、光ファイバ２００の表面の樹脂が硬化する際に、揮発物が生じるため、挿入部６は、当該揮発物が光源ユニット２（透光部２３ａ）及び第１反射面５２に付着することを防止している。
【００２９】
図５に示すように、第１反射面５２は、円弧状の中心５２ａが挿入路６１の中心６１ａに対して偏心するように、配置されている。換言すると、挿入部６（挿入孔６２）は、挿入路６１の中心６１ａが第１反射面５２の円弧状の中心５２ａに対して偏心するように、配置されている。
【００３０】
そして、第１反射面５２は、中心５２ａが挿入路６１の中心６１ａに対して光源２１からの出射光の光軸方向Ｌ１（光源２１と接離する方向）に偏心するように、配置されている。換言すると、挿入部６（挿入孔６２）は、挿入路６１の中心６１ａが第１反射面５２の円弧状の中心５２ａに対して光軸方向Ｌ１に偏心するように、配置されている。
【００３１】
さらに、第１反射面５２は、中心５２ａが挿入路６１の中心６１ａよりも光源２１に近づく方向に偏心するように、配置されている。換言すると、挿入部６（挿入孔６２）は、挿入路６１の中心６１ａが第１反射面５２の中心５２ａに対して光源２１から離れる方向に偏心するように、配置されている。
【００３２】
本実施形態においては、光源２１及び第１反射面５２の配置は、光軸方向Ｌ１に伸びる基軸で線対称になっている。なお、第１反射面５２の円弧状の中心５２ａは、第１反射面５２に内接する内接円の中心である。また、挿入路６１の中心６１ａは、挿入路６１を構成する面（本実施形態においては、挿入孔６２の内面）に内接する内接円の中心である。
【００３３】
光源２１は、光ファイバ２００の周方向から光ファイバ２００に向けて発光する発光部２１ａと、発光部２１ａを支持する基板２１ｂと、平面状に形成される第２反射面２１ｃを有する反射体２１ｄとを備えている。そして、発光部２１ａ、基板２１ｂ、及び反射体２１ｄ（第２反射面２１ｃ）は、それぞれ光ファイバ２００の延びる方向（搬送方向）Ｄ１に沿って、長尺に形成されている。
【００３４】
発光部２１ａは、本実施形態において、固体光源素子（例えば、ＬＥＤ）としている。なお、発光部２１ａは、斯かる構成に限られないのは勿論であり、光ファイバ２００に向けて発光する部材であればよい。また、基板２１ｂの一方側の面に発光部２１ａが固定されており、基板２１ｂの他方側の面は、光源冷却部２２（具体的には、冷却本体２２ａ）に固定されている。
【００３５】
反射体２１ｄは、基板２１ｂの一方側の面に固定されている。なお、反射体２１は、基板２１ｂの一方側の面に反射材からなる塗料を塗布されて形成されてもよく、また、ミラーを、基板２１ｂの一方側の面に接着剤やボルト等で固定されてもよい。そして、反射体２１ｄは、発光部２１ａを挟むようにして、一対備えられている。これにより、第２反射面２１ｃは、発光部２１ａを挟むようにして、一対備えられている。
【００３６】
第２反射面２１ｃは、第１反射面５２の中心５２ａを向くように配置されている。具体的には、第２反射面２１ｃは、光源２１からの出射光の光軸方向Ｌ１と直交するように配置されている。そして、第２反射面２１ｃの全体は、第１反射面５２の周方向において、第１反射面５２の端部５２ｂと発光部２１ａの端部２１ｅとの間に配置されている。
【００３７】
また、第２反射面２１ｃは、光源２１からの出射光の光軸方向Ｌ１において、第１反射面５２の中心５２ａよりも光源２１側に配置されている。そして、第２反射面２１ｃは、光ファイバ２００を照射することなく入射された光の一部を、光ファイバ２００に向けて反射する。
【００３８】
なお、第２反射面２１ｃは、発光部２１ａからの光が入射された際に、当該光を５０％以上、好ましくは６０％以上、より好ましくは７０％以上、さらに好ましくは８０％以上、反射するように、構成されている。また、第２反射面２１ｃは、入射された光を、鏡面反射するように構成されてもよく、また、拡散反射するように構成されてもよい。
【００３９】
本実施形態に係る光照射装置１の構成については以上の通りであり、次に、線材２００の中心が第１反射面５２の円弧状の中心５２ａに対して偏心することによる作用効果の一例を図６及び図７を参酌して説明する。なお、線材２００の中心は、挿入路６１の中心６１ａに位置しているものとする。
【００４０】
まず、図６に係る実施例と図７に係る実施例とにおいては、発光部２１ａと第１反射面５２との位置が、異なるものの、発光部２１ａと線材２００との位置は、同じである。したがって、発光部２１ａから出射されて第１反射面５２で反射されることなく線材２００を直接に照射する光量は、同じである。
【００４１】
ところで、図６に係る実施例において、線材２００の中心は、第１反射面５２の円弧状の中心５２ａと一致している。斯かる構成において、光は、線材２００の背面側（光源２１と対面する面と反対側であって、図６及び図７における下面側）を照射するためには、第１反射面５２の円弧状の中心５２ａ付近を通過した後に、第１反射面５２で反射する必要がある（図６の破線参照）。
【００４２】
しかしながら、第１反射面５２の円弧状の中心５２ａ付近を通過するような光は、線材２００の正面側（発光部２１ａと対面する面であって、図６及び図７における上面側）を直接に照射してしまう（図６の２点鎖線参照）。したがって、図６に係る実施例においては、発光部２１ａから出射されて第１反射面５２で反射された光は、それほど線材２００を照射しない。
【００４３】
一方、図７に係る実施例において、線材２００の中心は、第１反射面５２の円弧状の中心５２ａに対して偏心している。斯かる構成において、光は、線材２００の背面側を照射するために、線材２００の位置を通過する必要がない。したがって、発光部２１ａから出射されて第１反射面５２で反射された光の一部は、線材２００の背面側を照射する。これにより、線材２００の背面側も、線材２００の正面側と同様に、光に照射される。
【００４４】
したがって、図６に係る実施例と図７に係る実施例とにおいては、発光部２１ａから出射されて線材２００を直接に照射する光量は、同じであるものの、発光部２１ａから出射されて第１反射面５２で反射された後に、線材２００を照射する光量は、異なる。このように、線材２００の中心が第１反射面５２の円弧状の中心５２ａに対して偏心する構成が好ましい。即ち、挿入路６１の中心６１ａが第１反射面５２の円弧状の中心５２ａに対して偏心する構成が好ましい。
【００４５】
次に、第２反射面２１ｃの配置による作用効果について、説明する。
【００４６】
第１反射面５２は、円弧状に形成されている。そのため、光源２１（発光部２１ａ）から出射した光の光路は、第１反射面５２で反射を繰り返して、再び、光源２１側に戻りやすい。また、照射対象物である線材２００の直径が比較的小さいこともあり、光源２１から出射した光の多くが、第１反射面５２で反射を繰り返すか、又は、光源２１に吸収されてしまうため、光効率が良くない。
【００４７】
そこで、発光部２１ａの端部２１ｅと第１反射面５２の端部５２ｂの間に、第２反射面２１ｃが備えられることで、光源２１側に戻ってくる光の光路を線材２００側に向けることができる。これにより、光効率を高めることができる。
【００４８】
斯かる作用効果の一例を、図８及び図９を参酌して説明する。
【００４９】
図８に係る実施例においては、一方の反射体９の第２反射面９ａと第１反射面５２の径方向（具体的には、第１反射面５２の中心５２ａから第２反射面９ａに向かう第１反射面５２の径方向）との交差角度θ１は、０°であり、他方の反射体１０の第２反射面１０ａと第１反射面５２の径方向との交差角度θ１は、９０°である。また、図９に係る実施例においては、第２反射面２１ｃと第１反射面５２の径方向との交差角度θ１は、０°より大きく且つ９０°より小さくなっている（図９においては、約６０°となっている）。
【００５０】
なお、交差角度θ１の基準となる第１反射面５２の径方向は、第２反射面９ａ，１０ａ，２１ｃの中心を通る第１反射面５２の径方向である。また、一方の反射体９の第２反射面９ａのように、第１反射面５２側を向き且つ第１反射面５２の径方向に沿って配置されている場合に、交差角度θ１は、０°である。そして、交差角度θ１が０°である位置から第２反射面５２，９ａ，１０ａ，２１ｃが第１反射面５２の中心５２ａと対面するように回転する方向が、交差角度θ１が増加する方向である。
【００５１】
例えば、一方の反射体９の第２反射面９ａにおいては、時計回りの方向が、交差角度θ１が増加する方向であり、他方の反射体１０の第２反射面１０ａにおいては、反時計回りの方向が、交差角度θ１が増加する方向である。なお、交差角度θ１は、０°〜３６０°（＝０°）まで存在する。
【００５２】
図８に係る実施例において、例えば、線材２００の周りを進行する光が、一方（図８の右側）の第２反射面９ａで反射すると、当該光の多くは、第１反射面５２に向けて進行する。このように、第２反射面９ａの交差角度θ１が約２７０°〜３６０°（０°）の場合には、線材２００の周りを進行する光が、第２反射面９ａで反射すると、当該光の多くは、第１反射面５２に向けて進行する。
【００５３】
また、例えば、線材２００の周りを進行する光が、他方（図８の左側）の第２反射面９ａで反射すると、当該光の多くは、第１反射面５２の中心５２ａから離れるように進行する。このように、第２反射面９ａの交差角度θ１が９０°〜約１８０°の場合には、線材２００の周りを進行する光が、第２反射面９ａで反射すると、当該光の多くは、第１反射面５２の中心５２ａから離れるように進行する。なお、第２反射面９ａの交差角度θ１が約１８０°〜約２７０°の場合には、線材２００の周りを進行する光は、第２反射面９ａに入射され難い。
【００５４】
一方、図９に係る実施例において、線材２００の周りを進行する光が、第２反射面２１ｃで反射すると、当該光の多くは、第１反射面５２の中心５２ａに向けて進行する。このように、第２反射面２１ｃの交差角度θ１が０°より大きく且つ９０°より小さい場合には、線材２００の周りを進行する光が、第２反射面２１ｃで反射すると、当該光の多くは、第１反射面５２の中心５２ａ、即ち、線材２００に向けて進行する。
【００５５】
したがって、第２反射面２１ｃの交差角度θ１が０°より大きく且つ９０°より小さい場合には、線材２００の周りを進行する光が、第２反射面２１ｃで反射した後、当該光の一部は、線材２００を照射することになる。このように、第２反射面２１ｃの交差角度θ１が０°より大きく且つ９０°より小さいことにより、光効率を効率的に向上させることができる。
【００５６】
よって、第２反射面２１ｃの交差角度θ１は、０°より大きく且つ９０°より小さい構成が好ましい。なお、第２反射面２１ｃの交差角度θ１は、斯かる構成に限定されないのは勿論である。また、光源２１の出射光の光軸方向Ｌ１と直交方向に対して、第２反射面２１が交差する角度は、３０°以下である構成が好ましい。なお、図９に係る実施例においては、当該角度は、０°である。
【００５７】
また、第２反射面２１ｃの配置による別の作用効果について、説明する。
【００５８】
線材２００は、発光部２１ａからの直接照射光と、第１反射面５２での反射光と、第２反射面２１ｃでの反射光とで、照射される。即ち、光源２１は、発光部２１ａと第２反射面２１ｃとを組み合わせることで、実質的に、光を出射する面積を広げることができている。これにより、比較的広域に光を出射することができるため、線材２００が振動することで、線材２００の位置がシフトしても、線材２００に照射される光量の変動を抑えることができ、その結果、高い光効率を維持することができる。
【００５９】
したがって、発光部２１ａの幅寸法を小さくした場合でも、第２反射面２１ｃを配置することにより、線材２００が振動することで位置をシフトしても、高い光効率を維持することができる。なお、発光部２１ａの中央から、光源２１からの出射光の光軸方向Ｌ１に向けた位置に、線材２００を配置することで、発光部２１ａからの直接照射光の光量が最大となる。したがって、斯かる構成を採用することで、光効率を効果的に向上させることができる。
【００６０】
以上より、本実施形態に係る光照射装置１は、円弧状に形成される凹状の内面に配置され、線材２００が内部に挿入される第１反射面５２と、前記線材２００の周方向から前記線材２００に向けて発光する少なくとも一つ（本実施形態においては、一つ）の発光部２１ａと、平面状に形成される第２反射面２１ｃと、を備え、前記第２反射面２１ｃの少なくとも一部（本実施形態においては、全体）は、前記第１反射面５２の周方向において、前記第１反射面５２の端部５２ｂと前記発光部２１ａの端部２１ｅとの間に配置される。
【００６１】
斯かる構成によれば、第１反射面５２は、円弧状に形成される凹状の内面に配置されている。そして、線材２００は、第１反射面５２の内部に挿入され、少なくとも一つ（本実施形態においては、一つ）の発光部２１ａは、線材２００の周方向から線材２００に向けて発光している。
【００６２】
また、第２反射面２１ｃは、平面状に形成されている。そして、第２反射面２１ｃの少なくとも一部（本実施形態においては、全体）は、第１反射面５２の周方向において、第１反射面５２の端部５２ｂと発光部２１ａの端部２１ｅとの間に配置されている。
【００６３】
これにより、第１反射面５２の端部５２ｂと発光部２１ａの端部２１ｅとの間に進行した光が、第２反射面２１ｃで反射されるため、第２反射面２１ｃで反射された光の一部は、線材２００に向けて進行し、線材２００を照射する。したがって、光効率を向上させることができる。
【００６４】
また、本実施形態に係る光照射装置１においては、前記第２反射面２１ｃは、前記第１反射面５２の径方向との交差角度θ１が０°より大きく且つ９０°より小さくなるように、配置される、という構成である。
【００６５】
斯かる構成によれば、第２反射面２１ｃと第１反射面５２の径方向との交差角度θ１は、０°より大きく、且つ、９０°より小さくなっている。これにより、例えば、第１反射面５２で反射を繰り返して線材２００の周りを進行する光が、第２反射面２１ｃで反射することで、当該光の一部は、線材２００に向けて進行し、線材２００を照射する。したがって、光効率をさらに向上させることができる。
【００６６】
また、本実施形態に係る光照射装置１においては、前記線材２００を前記第１反射面５２の内部に挿入するための挿入路６１を、内部に形成する挿入部６を、備え、前記第１反射面５２は、中心５２ａが前記挿入路６１の中心６１ａに対して偏心するように、配置される、という構成である。
【００６７】
斯かる構成によれば、挿入部６は、線材２００を第１反射面５２の内部に挿入するための挿入路６１を、内部に形成している。そして、第１反射面５２の中心５２ａが、挿入路６１の中心６１ａに対して偏心しているため、線材２００は、第１反射面５２の中心５２ａから外れて位置している。これにより、発光部２１ａから発して第１反射面５２で反射した光の一部は、線材２００に向けて進行し、線材２００を照射する。したがって、光効率を効率的に向上させることができる。
【００６８】
なお、光照射装置は、上記した実施形態の構成に限定されるものではなく、また、上記した作用効果に限定されるものではない。また、光照射装置は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６９】
上記実施形態に係る光照射装置１においては、第２反射面２１ｃの全体は、第１反射面５２の周方向において、第１反射面５２の端部５２ｂと発光部２１ａの端部２１ｅとの間に配置されている、という構成である。しかしながら、光照射装置は、斯かる構成に限られない。例えば、図１０に示すように、第２反射面２３ｃの一部は、第１反射面５２の周方向において、第１反射面５２の端部５２ｂと発光部２１ａの端部２１ｅとの間に配置されている、という構成でもよい。
【００７０】
また、上記実施形態に係る光照射装置１においては、第１反射面５２を有する部材５と、第２反射面２１ｃを有する部材２とは、異なる、という構成である。しかしながら、光照射装置は、斯かる構成に限られない。例えば、図１１に示すように、第１反射面５２を有する部材５と、第２反射面５４ａを有する部材５とは、同じ、という構成でもよい。即ち、第１反射面５２と第２反射面５４ａとは、一体に形成されている、という構成でもよい。
【００７１】
また、上記実施形態に係る光照射装置１においては、第２反射面２１ｃは、光源２１に備えられている、という構成である。しかしながら、光照射装置は、斯かる構成に限られない。例えば、図１０に示すように、第２反射面２３ｃは、筐体２３が有する反射体２３ｄに、備えられている、という構成でもよく、また、例えば、図１１に示すように、第２反射面５４ａは、本体部５が有する凸状の反射体５４に、備えられている、という構成でもよい。
【００７２】
また、上記実施形態に係る光照射装置１においては、第２反射面２１ｃを有する反射体２１ｄは、基板２１ｂに固定されている、という構成である。しかしながら、光照射装置は、斯かる構成に限られない。例えば、図１２に示すように、第２反射面２１ｃを有する反射体２１ｄは、光源冷却部２２（具体的には、冷却本体２２ａ）に固定されている、という構成でもよい。また、例えば、図１３に示すように、第２反射面２１ｃを有する反射体２１ｄは、基板２１ｂを光源冷却部２２に保持させる保持体２１ｆに、固定されている、という構成でもよい。
【００７３】
また、上記実施形態に係る光照射装置１においては、第１反射面５２は、真円形の一部からなる円弧状に形成されている、という構成である。しかしながら、光照射装置は、斯かる構成に限られない。例えば、図１４に示すように、第１反射面５２は、楕円形の一部からなる円弧状に形成されている、という構成でもよく、また例えば、図１５に示すように、第１反射面５２は、複数の平面が円弧状に配置されることで、形成されている、即ち、多角形で形成されている、という構成でもよい。
【００７４】
そして、第１反射面５２は、線材２００が内部に挿入できる大きさに、形成されていればよい。また、例えば、第１反射面５２は、円形状の一部である円弧状に形成される構成だけでなく、円形状の全部である円弧状（即ち、円形状）で形成される構成でもよい。
【００７５】
ところで、「円弧状に形成される凹状の内面に配置される第１反射面」における「円弧状」は、中心Ｃ０の位置が同じ２つ円（第１円Ｃ１及び第２円Ｃ２）の間に入る形状であって、第１円Ｃ１の直径と第２円Ｃ２の直径（≧第１円Ｃ１の直径）との関係が以下の式を満たすことをいう。
１００％  ≦  （第２円Ｃ２の直径）／（第１円Ｃ１の直径）  ≦  １１０％
また、好ましくは、以下の式を満たすこととしてもよい。
１００％  ≦  （第２円Ｃ２の直径）／（第１円Ｃ１の直径）  ≦  １０５％
【００７６】
なお、第１反射面５２の円弧状の中心５２ａの位置は、「（第２円Ｃ２の直径）／（第１円Ｃ１の直径）」が最小となる場合の、前記各円Ｃ１，Ｃ２の中心Ｃ０の位置である。また、例えば、図１４に示すように、第１反射面５２は、第１円Ｃ１と第２円Ｃ２の間に入る楕円形の、その一部からなる形状であってもよい。
【００７７】
また、上記実施形態に係る光照射装置１においては、挿入孔６２は、円形状に形成されている、という構成である。しかしながら、光照射装置は、斯かる構成に限られない。例えば、挿入孔６２は、楕円形状に形成されている、という構成でもよく、また、例えば、図１６に示すように、挿入孔６２は、多角形状に形成されている、という構成でもよい。なお、挿入路６１の中心６１ａは、挿入路６１を構成する面に内接する内接円（図１６においては、円Ｃ３）の中心である。
【００７８】
また、上記実施形態に係る光照射装置１においては、挿入路６１は、第１反射面５２とは別の構成である挿入孔６２で構成される、という構成である。しかしながら、光照射装置は、斯かる構成に限られない。例えば、光照射装置は、斯かる挿入孔６２を備えておらず、図１７に示すように、第１反射面５２は、挿入部６の少なくとも一部を構成し、且つ、中心５２ａが挿入路６１の中心６１ａに対して偏心するように、形成される、という構成でもよい。
【００７９】
図１７に係る挿入部６は、第１反射面５２と光源ユニット２の透光部２３ａとで構成されている。そして、挿入路６１は、第１反射面５２と透光部２３ａとで構成される内空間で構成されている。なお、挿入路６１の中心６１ａは、挿入路６１を構成する面（図１７においては、第１反射面５２及び透光部２３ａの面）に内接する内接円Ｃ４の中心である。
【００８０】
また、上記実施形態に係る光照射装置１においては、挿入部６が、長尺な筒状に形成され、第１反射面５２の内部及び外部に配置されることで、挿入孔６２は、第１反射面５２の内部及び外部に配置されている、という構成である。しかしながら、光照射装置は、斯かる構成に限られない。例えば、挿入孔６２は、第１反射面５２の内部のみに配置されている、という構成でもよく、また、例えば、挿入部６が固定部７に固定される周辺部分のみに配置されることで、挿入孔６２は、第１反射面５２の外部のみに配置されている、という構成でもよい。
【００８１】
また、上記実施形態に係る光照射装置１においては、発光部２１ａ（光源２１）は、一つ備えられている、という構成である。しかしながら、光照射装置は、斯かる構成に限られない。例えば、発光部２１ａ（光源２１）は、複数備えられている、という構成でもよい。
【００８２】
また、上記実施形態に係る光照射装置１においては、第１反射面５２は、中心５２ａが挿入路６１の中心６１ａに対して偏心するように、配置されている、という構成である。しかしながら、光照射装置は、斯かる構成に限られない。例えば、第１反射面５２は、中心５２ａが挿入路６１の中心６１ａと一致するように、配置されている、という構成でもよい。
【００８３】
また、上記実施形態に係る光照射装置１においては、線材２００は、光ファイバである、という構成である。しかしながら、光照射装置は、斯かる構成に限られない。例えば、線材２００は、繊維である、という構成でもよい。具体的には、光照射装置は、繊維である線材２００に紫外光を照射することで、繊維の表面改質を行う装置であってもよい。
【００８４】
また、上記実施形態に係る光照射装置１においては、線材２００は、光照射装置１の内部を走行する状態で、光を照射される、という構成である。しかしながら、光照射装置は、斯かる構成に限られない。例えば、線材２００は、光照射装置１に対して固定された状態で、光を照射される、という構成でもよい。
【００８５】
また、光照射装置１においては、線材２００の中心（挿入路６１の中心６１ａ）が第１反射面５２の円弧状の中心５２ａに対して偏心する量は、線材２００の半径よりも大きい、という構成が好ましく、さらに、線材２００の直径よりも大きい、という構成がより好ましい。斯かる構成によれば、第１反射面５２の円弧状の中心５２ａが、線材２００の外部に位置することになるため、光効率をより向上させることができる。
【符号の説明】
【００８６】
１…光照射装置、２…光源ユニット、３…挿入ユニット、４…接続部、４ａ…回転軸、５…本体部、６…挿入部、７…固定部、８…本体冷却部、８ａ…冷却本体、８ｂ…流入部、８ｃ…流出部、９…反射体、９ａ…第２反射面、１０…反射体、１０ａ…第２反射面、２１…光源、２１ａ…発光部、２１ｂ…基板、２１ｃ…第２反射面、２１ｄ…反射体、２１ｅ…端部、２１ｆ…保持体、２２…光源冷却部、２２ａ…冷却本体、２２ｂ…流入部、２２ｃ…流出部、２３…筐体、２３ａ…透光部、２３ｂ…遮光部、２３ｃ…第２反射面、２３ｄ…反射体、２４…電力供給部、２４ａ…電源接続部、２４ｂ…端子台、５１…凹状部、５２…第１反射面、５２ａ…中心、５２ｂ…端部、５３…開口部、５４…反射体、５４ａ…第２反射面、６１…挿入路、６１ａ…中心、６２…挿入孔、７１…挟持部、７２…挟持部、１００…光ファイバ製造装置、１１０…搬送装置、１１１…搬送部材、１１２…搬送部材、１２０…塗布装置、２００…線材（光ファイバ）
【図１】
2018035050.tif 000003
【図２】
2018035050.tif 000004
【図３】
2018035050.tif 000005
【図４】
2018035050.tif 000006
【図５】
2018035050.tif 000007
【図６】
2018035050.tif 000008
【図７】
2018035050.tif 000009
【図８】
2018035050.tif 000010
【図９】
2018035050.tif 000011
【図１０】
2018035050.tif 000012
【図１１】
2018035050.tif 000013
【図１２】
2018035050.tif 000014
【図１３】
2018035050.tif 000015
【図１４】
2018035050.tif 000016
【図１５】
2018035050.tif 000017
【図１６】
2018035050.tif 000018
【図１７】
2018035050.tif 000019